(57)【要約】【課題】給水圧が高い場合でも、コストが安く、簡単な構造で給水量の調整を行うことができ、また、サウナ装置への給水水質の硬度が高いまたは含有不純物量が多い場合でも、給水弁に詰まり等がなく、耐久性を向上化することを目的とする。【解決手段】サウナ空間１に設置され、空気を送風する送風手段１１と、空気を加熱する加熱手段１２と、空気を加湿する加湿手段１３と、前記サウナ空間１を換気する換気手段２０と、前記加湿手段１３に給水する給水口１４を備えた本体に、前記加湿手段１３は水を噴霧するノズル部と給水される給水手段を有し、前記ノズル部に供給する湯水の流量を制御する流量調整制御手段１５を本体内に備えたことにより、流量調整制御手段により、コストが安く、簡単な構造で、給水量の調整を行うことができるサウナ装置を提供できる。【選択図】図１
2008253477.tif 000002
【特許請求の範囲】
【請求項１】
サウナ空間に設置され、空気を送風する送風手段と、空気を加熱する加熱手段と、空気を加湿する加湿手段と、前記サウナ空間を換気する換気手段と、前記加湿手段に給水する給水口を備えた本体に、前記加湿手段は水を噴霧するノズル部と給水される給水手段と、前記ノズル部に供給する湯水の流量を制御する流量調整制御手段を備えたことを特徴とするサウナ装置。
【請求項２】
流量調整制御手段は、給水する湯水量を定量化する定量化給水手段を備えることを特徴とする請求項１記載のサウナ装置。
【請求項３】
定量化給水手段は、本体の給水口内に備えたことを特徴とする請求項１または２記載のサウナ装置。
【請求項４】
給水口内の水路構造をテーパ構造とし、水路の広い側から狭い側へ向け前記定量化給水手段とＣリングを取付けることを特徴とする請求項２〜３のいずれかに記載のサウナ装置。
【請求項５】
定量化給水手段の水経路の上流側に、フィルターを備えることを特徴とする請求項２〜４のいずれかに記載のサウナ装置。
【請求項６】
給水口の下流側に、供給する湯水の水質を制御する水質制御手段を設けたことを特徴とする請求項１記載のサウナ装置。
【請求項７】
水質制御手段は、軟水製造装置を設けることを特徴とする請求項６記載のサウナ装置。
【請求項８】
水質制御手段は、純水製造装置を備えることを特徴とする請求項６または７記載のサウナ装置。
【請求項９】
水質制御手段は、イオン交換水製造装置を備えることを特徴とする請求項６〜８のいずれかに記載のサウナ装置。
【請求項１０】
ノズル部に、供給する湯水の温度を制御する水温度制御手段を備えることを特徴とした請求項１〜９のいずれかに記載のサウナ装置。
【発明の詳細な説明】
【技術分野】
【０００１】
本発明は、サウナ空間に設置されるサウナ装置に関する。
【背景技術】
【０００２】
従来、この種の装置としては浴室用ミストサウナ装置が知られている（例えば、特許文献１参照）。
【０００３】
以下、その浴室用ミストサウナ装置について図８を参照にしながら説明する。
【０００４】
浴室ＢＲの壁面等に取り付けられた微噴霧ノズル１０１と、この微噴霧ノズル１０１に給湯器１０２からの水、温水を供給する給水路Ｗと、微噴霧ノズル１０１に熱風を供給する熱風路Ａと、水、温水の供給を制御するとともに熱風の温度、熱風の流出圧を制御する制御装置１０８とを備えている。給水路Ｗには、給湯器１０２から供給される水、温水の流通、遮断をする電磁弁１０３と、水の圧力を一定にして微噴霧ノズル１０１に向けて流出させる減圧弁１０４とが介装されている。熱風路Ａには、空気を圧縮して供給するコンプレッサ１０５と、空気の圧力を所定の圧力に調整する圧力調整弁１０６と、所定の圧力に調整された空気を加熱する加熱ヒータ１０７とが介装されている。
【特許文献１】特開平１１−１９２２８０号公報
【発明の開示】
【発明が解決しようとする課題】
【０００５】
このような従来のサウナ装置では、給水圧が高い場合に備え、給水経路に減圧弁が必要となるが、コストが高く、また、サウナ装置への給水水質の硬度が高いまたは含有不純物量が多い場合、給水弁に詰まり等が発生し耐久性の低下をまねくという課題がある。
【０００６】
本発明は、このような従来の課題を解決するものであり、給水圧が高い場合でも、コストが安く、簡単な構造で給水量の調整を行うことができ、また、サウナ装置への給水水質の硬度が高いまたは含有不純物量が多い場合でも、給水弁に詰まり等がなく、耐久性を向上することができるサウナ装置を提供することを目的とする。
【課題を解決するための手段】
【０００７】
本発明のサウナ装置は、上記目的を達成するために、サウナ空間に設置され、空気を送風する送風手段と、空気を加熱する加熱手段と、空気を加湿する加湿手段と、前記サウナ空間を換気する換気手段と、前記加湿手段に給水する給水口を備えた本体に、前記加湿手段は水を噴霧するノズル部と給水される給水手段と、前記ノズル部に供給する水の流量を制御する流量調整制御手段を備えたものである。
【０００８】
また、他の手段は、流量調整制御手段は、給水する量を定量化する定量化給水手段を備えるものである。
【０００９】
また、他の手段は、定量化給水手段は、本体の給水接続口内に備えたものである。
【００１０】
また、他の手段は、給水口内の水路構造をテーパ形状とし、水路の広い側から狭い側へ向け前記定流量制御手段とＣリングを取付けるものである。
【００１１】
また、他の手段は、定量化給水手段の水経路の上流側に、フィルターを備えるものである。
【００１２】
また、他の手段は、給水口の下流側に、供給する水の水質を制御する水質制御手段を設けたものである。
【００１３】
また、他の手段は、水質制御手段は、軟水製造装置を設けるものである。
【００１４】
また、他の手段は、水質制御手段は、純水製造装置を備えるものである。
【００１５】
また、他の手段は、水質制御手段は、イオン交換水製造装置を備えるものである。
【００１６】
また、他の手段は、ノズル部に、供給する水の温度を制御する水温度制御手段を備えるものである。
【発明の効果】
【００１７】
本発明によれば、サウナ空間に設置され、空気を送風する送風手段と、空気を加熱する加熱手段と、空気を加湿する加湿手段と、前記サウナ空間を換気する換気手段と、前記加湿手段に給水する給水口を備えた本体に、前記加湿手段は水を噴霧するノズル部と給水される給水手段と、前記ノズル部に供給する水の流量を制御する流量調整制御手段を備えたことにより、流量調整制御手段により、コストが安く、設置に手間がかからなく、給水量を調整することができ、製品の性能、耐久性を維持するきおとができるという効果のあるサウナ装置を提供することができる。
【００１８】
また、流量調整制御手段は、給水する量を定量化する定量化給水手段を備えることにより、給水圧が高い場合、定量化給水手段により、安価で簡単な構造で給水量を一定値以下に保つことができるため、給水圧に関わらず配管内の流速が一定値以下となり配管寿命を保つことができるという効果のあるサウナ装置を提供することができる。
【００１９】
また、定量化給水手段は、本体の給水接続口内に備えたことにより、定流量手段をコンパクト化することができ、製品全体の配置を保護することができるという効果のあるサウナ装置を提供することができる。
【００２０】
また、給水口内の水路構造をテーパ形状とし、水路の広い側から狭い側へ向け前記定流化給水手段とＣリングを取付けることにより、給水の水圧が高い場合、また逆に水圧がかかった場合でも定量化給水手段の弁が外れず、また定流量制御弁のメンテナンスを容易に行うことができるという効果のあるサウナ装置を提供することができる。
【００２１】
また、定量化給水手段の水経路の上流側に、フィルターを備えることにより、定量化給水手段に、ごみが付着することを防ぐことができるという効果のあるサウナ装置を提供することができる。
【００２２】
また、給水口の下流側に、供給する湯水の水質を制御する水質制御手段を設けたことにより、給水された水の水質に関わらず最適な水質の水を本体内給水配管およびノズル部に供給することができるため、性能を維持することができるという効果のあるサウナ装置を提供することができる。
【００２３】
また、水質制御手段は、軟水製造装置を設けることにより、ノズル部に供給する水を軟水とすることができるため、水分内のミネラル成分の析出を抑制することができ、配管内部のミネラル固着による詰まりを防止することができるという効果のあるサウナ装置を提供することができる。
【００２４】
また、水質制御手段は、純水製造装置を備えることにより、ノズル部に供給する水を、純水とすることができるため、水分内には不純物が混ざらないこととなり、ノズルより噴霧する水にも不純物が混ざらないため、噴霧水による白粉を抑制することができるという効果のあるサウナ装置を提供することができる。
【００２５】
また、水質制御手段は、イオン交換水製造装置を備えることにより、ノズルに供給する水をイオン交換水とすることができ、イオン交換フィルターを交換するだけでありメンテナンスが容易であるという効果のあるサウナ装置を提供することができる。
【００２６】
また、ノズル部に、供給する水の温度を制御する水温度制御手段を備えることにより、ノズルに供給する水は流量または水質またはその両方が制御され、さらに水温を制御することができるという効果のあるサウナ装置を提供することができる。
【発明を実施するための最良の形態】
【００２７】
本発明の請求項１記載のサウナ装置は、サウナ空間に設置され、空気を送風する送風手段と、空気を加熱する加熱手段と、空気を加湿する加湿手段と、前記サウナ空間を換気する換気手段と、前記加湿手段に給水する給水口を備えた本体に、前記加湿手段は水を噴霧するノズル部と給水される給水手段と、前記ノズル部に供給する水の流量を制御する流量調整制御手段を備えたこととしたものであり、本体の給水口より給水された水は、本体内の流量調整制御手段にて給水の流量を調整し、ノズルに供給するという作用を有する。
【００２８】
また、流量調整制御手段は、給水する量を定流化する定量化給水手段を備えることとしたものであり、本体の給水口より給水された水は、本体内の定量化給水手段にて給水の流量を調整し、ノズルに供給するという作用を有する。
【００２９】
また、定量化給水手段は、本体の給水接続口内に備えたこととしたものであり、本体の給水口より給水された水は、給水口内に備えた定量化給水手段にて流量を調整され、ノズル部に供給するという作用を有する。
【００３０】
また、給水口内の水路構造をテーパ形状とし、水路の広い側から狭い側へ向け前記定流化給水手段とＣリングを取付けることとしたものであり、定量化給水手段を、給水路の上流側と下流側の両方から固定するという作用を有する。
【００３１】
また、定量化給水手段の水経路の上流側に、フィルターを備えることとしたものであり、本体の給水口より給水された水は、フィルターにてろ過され、次に定量化給水手段にて流量を調整され、ノズル部に供給されるという作用を有する。
【００３２】
また、給水口の下流側に、供給する水の水質を制御する水質制御手段を設けたこととしたものであり、本体の給水口より給水された水は、本体内水質制御手段にて水質を調整され、ノズル部に供給されるという作用を有する。
【００３３】
また、水質制御手段は、軟水製造装置を設けることとしたものであり、本体の給水口より給水された水は、本体内軟水製造装置にて硬度を調整され、ノズル部に供給されるという作用を有する。
【００３４】
また、水質制御手段は、純水製造装置を備えることとしたものであり、本体の給水口より給水された水は、本体内純水製造装置にて不純物を除去され、ノズル部に供給されるという作用を有する。
【００３５】
また、水質制御手段は、イオン交換水製造装置を備えることとしたものであり、本体の給水口より給水された水は、本体内イオン交換水製造装置にて脱イオン処理され、ノズル部に供給されるという作用を有する。
【００３６】
また、ノズル部に、供給する水の温度を制御する水温度制御手段を備えることとしたものであり、本体の給水口より給水された水は、本体内流量制御手段または水質制御手段またはその両方により調整され、次に温度を制御する手段により水温を調整された後、ノズル部に供給されるという作用を有する。
【００３７】
以下、本発明の実施の形態について、図面を参照しながら説明する。
【００３８】
（実施の形態１）
図１に示すように、本発明のサウナ装置は、サウナ空間１の天井２裏に設けられ、パネル３の吸込みフィルター４を有する吸込部５と吹出部６がサウナ空間１に接した配置で設置され、パネル３の吸込みフィルター４を有する吸込部５からサウナ空間１の空気を吸込み、吹出部６からサウナ空間１へ再び送風するフレーム７内にあるファン８と、ファン８を収納するファンケーシング９と、モーター１０を有する送風手段１１と、送風手段１１からの空気を加熱する加熱手段１２と、送風手段１１からの空気を加湿する加湿手段１３と、加湿手段に水または温水を供給するための給水口１４と、前記給水口１４から供給される給水量を調整する流量調整制御手段１５と、給水管１６の開閉をつかさどり水または温水の下流側への供給／遮断をおこなう電磁弁１７と、供給された水または温水を噴霧する加湿手段１３と、加湿手段１３から噴霧する水滴が衝突する衝突面１８を備えたものである。さらに衝突面１８の風下側には大粒水滴と微細水滴を分離する気液分離手段１９を備えた構成としている。さらに、サウナ空間を換気するための換気手段２０がサウナ装置と一体で備えられており、モーター１０、電磁弁１７、換気手段２０は制御手段２１により運転のモードによって制御される。
【００３９】
ファン８の一例として下流側に加湿手段、気液分離手段と圧力損失となる部位が存在するため遠心ファンであるシロッコファンが望ましい。また、モーター１０の駆動方式は直流（ＤＣ）方式、交流（ＡＣ）方式どちらでもよい。加熱手段１２の一例としてヒーターがあるが絶縁式、非絶縁式、温水式、電気式いずれでもよい。加湿手段１３は創出される水滴径が微細であることが望ましく、またノズルによる噴霧を衝突面に衝突させる場合野ノズルは噴射後の水流が分散し、さらに衝突スピードが大きいほど衝突後の水滴径が細かくなるため、噴霧に広がりがあり同水圧で最も噴射粒径の細かいホロコーンノズルが適している。ノズルの衝突面に対しての角度は垂直になるほど衝突エネルギーが大きくなるため、垂直に衝突する向きに備えることが望ましい。衝突面で衝突した水滴は送風手段により下流側に設置された気液分離手段へと導かれる。気液分離手段は細い網状の繊維または金属帯が複雑に絡まった形状のものでもので、水滴を含んだ空気流が気液分離手段を通過するときに、大粒水滴は繊維または金属帯に衝突し回収される。気液分離手段の性能は通過風速、突入粒子径により決定される。ここでは衝突による流体粒子分離の方法を用いたが、遠心分離方式を用いてもよくその効果になんら差異は生じない。
【００４０】
気液分離手段１９を通過した微細水滴はサウナ対象室に供給され、一方回収された水は排水管２２から外部へ排水されることとなり、サウナ対象室内には微細な液滴のみが供給される。供給された微細な液滴は大粒水滴と比較して単位あたりの表面積が大きいため、サウナ対象室内で蒸発しやすく、サウナ対象室内の湿度を有効に上昇することができる。
【００４１】
一方給水口下流側には流量調整制御手段１５が設けられている。流量調整制御手段１５を通過した供給水は一定の流量をもって下流側の電磁弁１７を通過し加湿手段１３に供給されることとなり、給水口１４に供給する水または温水の水圧の変動、もしくは設置場所よっての水圧の違いによる加湿手段１３への供給量の変化が抑制できるため、加湿手段１３は外乱によらず一定の性能を維持することとなる。流量調整制御手段１５は水圧により圧縮する部位を備えたものであり、給水口より供給される水圧が高い場合水圧により圧縮する部位が圧縮され供給水の流路を塞ぐことにより下流側への流量を一定に保つことができる。この作用により下流側は常時一定の流量が量給されることとなり、加湿性能のほか給水管が銅製の場合、孔蝕を防ぐべく流速に押さえることが可能となり、耐久性能が安定することとなる。
【００４２】
このように本発明の実施の形態１のサウナ装置によれば、流量調整制御手段１５により、サウナ装置外部に減圧弁等を追加で設置する必要がないため、コストが安く、設置に手間がかからなく、給水量を調整することができることとなる。
【００４３】
また、流量調整制御手段１５として、給水する量を定量化する定量化給水手段を備える構成とすることにより、本体の給水口より給水された湯水は、本体内の定量化給水手段にて給水の流量を調整し、ノズルに供給する。図２に定量化給水手段として定流量弁１．５Ｌ／ｍｉｎタイプを用いた場合の水圧と流量の関係を示す。流量は水圧が増加した場合もほぼ一定に保つことがわかる。
【００４４】
このような構成にすることにより、給水圧が高い場合、定量化給水手段により、簡単な構造で給水量を一定に保つことができることとなる。
【００４５】
なお本発明の実施例では製品を天井裏に隠蔽する構成としたが、サウナ空間の壁面に当たる部分に隠蔽、露出して取り付けてもよく、その効果、作用に差異はない。
【００４６】
（実施の形態２）
図３に示すように、本発明の第２の実施の形態は、本体の給水口１４内に定量化給水手段２３を備えた構成としたものである。
【００４７】
上記構成により、本体の給水口１４より給水された水は、給水口内に備えた定量化給水手段２３を経て一定流量に調整され、下流に位置する加湿手段１３に供給されることとなる。給水口１４内に定流量化給水手段を設けることにより、製品内部を構成する配管全てに一定の流量を供給することとなり、配管内の流速過多による孔蝕等の影響を配管全体にわたり抑制することができる。
【００４８】
また、給水口１４に一定温度の温水が供給された場合、下流側には電磁弁１７、給水管１６、加湿手段１３等が連結されて設置されている場合、各々の連結箇所には継ぎ手が存在することとなる。
【００４９】
このような場合、給水口１４には給湯器が接続されて一定の温度が供給されている場合、前記継ぎ手が外れた場合でも外れた継ぎ手より漏水する温水の漏水量は給水口１４内に備えた定量化給水手段２３により一定の量となることとなる。この現象は配管外れだけでなく、配管の亀裂により起こりうる現象でも同様である。
【００５０】
本製品は天井に取り付けられているため、漏水が生じた場合サウナ対象室内に温水が滴下することとなる。滴下した温水がサウナ浴人体対象位置に到達するまでに少量の滴下の場合、気化潜熱を奪われ冷えた状態で達することとなるが、大量の滴下の場合気化潜熱をほとんど奪われることなくサウナ浴人体対象位置に達することとなる。図４に製品本体からの距離による水滴温度、図５にサウナ浴人体対象位置の最上部（人が立った状態で水滴に触れる位置、すなわち、６００ｍｍ程度）で４８℃以下となる給水量と給水温度の関係を示したグラフを記す。図４から明らかなように滴下する温水は漏水位置より離れるほど温度が低下していき、一方図５より流量が減るほどサウナ浴人体対象位置の最上部（人が立った状態で水滴に触れる位置）での温度は低下する傾向にある。このことより定量化給水手段２３を設けることにより、万一の不慮の事故のときにも漏水した温水による火傷を抑制することができる。また配管外れ等の場合、大元の止水栓を止めるまで水または温水が垂れ流し状態となるが、定量化給水手段２３を設けることにより被害を最小限にとどめることができる。
【００５１】
このように本発明の実施の形態２のサウナ装置によれば、孔蝕等を抑制することによる耐久の安定性を保ち、万一配管亀裂、外れ等が起こった場合でも被害を最小限に食い止めることができ、また給水接続口内に定流量手段を設けることにより、コンパクト化することができることとなる。
【００５２】
また、定量化給水手段２３を本体の給水口１４内に備え、給水口１４内の水路構造がテーパ構造２４であり上流に向かい幅狭となる構造であり、水路の広い側から狭い側へ向け定量化給水手段２３を取り付け、テーパ構造２４となった給水口１４内の壁面と定量化給水手段２３が嵌合する位置において、定量化給水手段２３の下流側に位置する面に接触する位置にＣリング２５を取り付ける構成とする。Ｃリング２５を取り付ける位置には取付位置が決定するように給水口１４内の壁面に溝を設けた構成としている。Ｃリング２５の一部には開放端があり、両開放端の近傍には小さな穴が設けてあり、Ｃリング２５の前記穴をつまむことにより外径を小さくすることができ、開放するとバネの弾力で元の外径に戻る構造のものである。Ｃリング２５を取り付ける時は両開放端の穴に力を加え外径を小さくすることにより給水口１４内の壁面径より小さくし挿入することができ、給水口１４内壁面に設けた溝の位置まで導いた後、Ｃリング２５にかけた外力を除去すれば、弾性力によりＣリング２５の外周は給水口１４内に設けた溝に嵌合し、固定されることとなる。
【００５３】
上記構成により、定量化給水手段２３を、給水路の上流側と下流側の両方から固定することとなり、定量化給水手段２３は上流側より過多の水圧がかかった場合でも外れることなく、また上流側が負圧となり上流側に吸引されても外れることのない構成とすることができる。
【００５４】
このように本発明の実施の形態２のサウナ装置によれば、定量化給水手段２３を、コンパクト化することができることとなる。実施の形態２のサウナ装置によれば、給水の水圧が高い場合、また逆に水圧がかかった場合でも定量化給水手段２３の弁が外れないこととなる。またＣリング２５の両開放端に設けた穴をつまむことによりＣリング２５を容易に取り外すことができるため、定量化給水手段２３を容易に外すことができメンテナンス等が簡単となる。
【００５５】
また図３に示すように、定量化給水手段２３の上流側に、供給される水または温水に含まれるゴミや塵を除去するフィルター２６を備える構成とする。
【００５６】
上記構成により、本体の給水口より給水された水の内部に含まれるゴミまたは塵は、フィルター２６にて除去され、定量化給水手段２３にはゴミや塵の含まない水または温水を供給することとなる。
【００５７】
このように本発明の実施の形態２のサウナ装置によれば定量化給水手段２３に、ごみが付着することを防ぐことができることとなり、定量化給水手段２３のゴミ詰り等による不動作を抑制することができる。
【００５８】
（実施の形態３）
図６に示すように、本発明の第３の実施の形態は、給水口１４の下流側に給水口１４より供給された水の水質を制御する水質制御手段２７を備え、水質制御手段２７の下流側に流量調整制御手段１５を備えた構成とし、加湿手段１３には流量と水質を一定とした状態で供給することができる構成とする。水質制御手段２７は流水中の全硬度、導電率、残留塩素、ＰＨ、不純物等を調整するものであり、給水口１４下流の水質を常時一定に保つ制御を行うものである。
【００５９】
上記構成により、本体の給水口１４より給水された水は、本体内の水質制御手段２７にて水質を調整され、電磁弁１７、給水管１６、加湿手段１３に供給される。加湿手段１３にノズルを用いた場合、通常ノズル内は導入路、旋回流路、オリフィス流路等が設けられており、一般に流路径つまりは孔径が小さくなっている。供給水に不純物等が含まれていると小さくなった流路径を通過する際に流速は早くなり、不純物によりノズル内の磨耗が激しくなる。また供給水にミネラル分等が含まれた場合、装置運転停止中において乾燥によるミネラル分の付着や高温水によるミネラル分の析出が起こり、ノズル内の流路径が細い箇所に堆積し、ノズルつまりを起こす。
【００６０】
このように本発明の実施の形態３のサウナ装置によれば、給水された水の水質に関わらず最適な水質の水を本体内給水配管およびノズル部に供給することができるため、製品の性能はもとより著しく耐久性を保つことのできるサウナ装置を提供できることとなる。また、噴射水内に含まれるミネラルによる白粉の発生も解消されることとなる。
【００６１】
また、水質制御手段２７として、給水口１４近傍の下流側に軟水製造装置を備え、軟水製造装置の下流側に流量調整制御手段１５を備えた構成とし、加湿手段１３には流量と硬度が一定の水または温水が供給される構成とする。
【００６２】
上記構成により、本体の給水口１４より給水された水は、本体内軟水製造装置にて硬度を抑制し、硬度の低い湯水をノズル部に供給することができる。一方軟水製造装置は塩補給用の蓋が設けれており、軟水製造能力が低下したときに塩を補給することができる。塩を補給することにより軟水製造装置は再生し、軟水製造能力を維持することとなる。
【００６３】
このような構造のサウナ装置によれば、ノズル部に供給する水を、軟水とすることによりノズル内の流路径が小さくなっている部分でも装置運転停止中の乾燥、高温水によるミネラル分の析出によるノズル詰りを抑制することができ、安定したノズル性能を保つことができ、耐久性にも優れたサウナ装置を提供できることとなる。
【００６４】
また、水質制御手段２７として、給水口１４近傍の下流側に純水製造装置を備え、純水製造装置の下流側に流量調整制御手段１５を備えた構成とし、加湿手段１３には流量と導電率を抑制した水または温水が供給される構成とする。
【００６５】
上記構成により、本体の給水口１４より給水された水は、本体内純水製造装置にて不純物および硬度成分も合わせて除去され、加湿手段１３であるノズル部に供給される。ノズル部より噴射された水はミネラル成分を含んでいないため、吹き出した水滴による白粉の問題が抑制でき、また導電率が低ければ低いほど噴射時の運動エネルギーによるマイナスイオン量が増加するという効果がある。また残留塩素も除去されるためノズルから噴射した水より放出する塩素成分が抑制され、加湿空気の塩素臭を抑制することができる。
【００６６】
このような構造のサウナ装置によれば、ノズル部に供給する水を純水とすることによりノズル詰りおよび配管内へのスケール付着による詰り、劣化を抑制することができ、またマイナスイオンを多く含んだ加湿空気を提供することのできるサウナ装置を提供できることとなる。
【００６７】
また、水質制御手段２７として、給水口１４近傍の下流側にイオン交換水製造装置を備え、イオン交換水製造装置の下流側に流量調整制御手段１５を備えた構成としたものである。
【００６８】
上記構成により、本体の給水口１４より給水された水は、本体内イオン交換水製造装置にて脱イオン処理され、ノズル部に供給されることとなる。このため温水を使用した際のミネラル成分の析出を抑制でき給水配管内およびノズル部へのスケールの固着を抑制できるため、優れた耐久性を有することとなる。
【００６９】
このような構造のサウナ装置によれば、ノズルに供給する水を、イオン交換水とすることができ、長期間使用によるスケール付着による機器の性能劣化を抑制し、機器のメンテナンスの期間を長期化することが可能なサウナ装置を提供することができる。
【００７０】
（実施の形態４）
図７に示すように、本発明の第４の実施の形態は、サウナ装置の給水口１４の下流側に給水口１４より供給された水の流量を調節する流量調節手段１５または水の水質を制御する水質制御手段２７またはその両方を備え、加湿手段１３に供給する水温を検知する温度検知手段と、検知した水温により、給水熱源（図示せず）、流量調整制御手段１５等の制御を行う制御手段２１を備える構成とする。
【００７１】
上記構成により、本体の給水口１４より給水された水は、本体内の流量調整制御手段１５または水質制御手段２７またはその両方により調整され、さらに温度を制御する制御手段２１により水温を調整された後、加湿手段１３に供給されるため、設置場所、周囲温度、装置の施工状態等によらず水量、水質、水温が常に最適な状態の給水を加湿手段１３に供給することができる。また、水量、水質、水温を調整することにより、給水管の孔蝕、詰まりが起こり難くなり耐久性を向上させることができる。また、加湿手段１３に供給する水の水温を４９℃以下とすることにより、給水管の接続継手部分または亀裂から漏水し湯水が人体に付着した場合でも火傷を負うことがない。
【００７２】
このように本発明の実施の形態４のサウナ装置によれば、加湿手段１３に供給する水は流量または水質またはその両方が制御され、さらに水温を制御することができるため、サウナ空間の効率的な加湿を行うことができ、また耐久性に優れ、また安全性に優れたサウナ装置を提供することができる。
【産業上の利用可能性】
【００７３】
最寒の北海道の地区では冬の暖房時には必ず加湿をする必要があることから暖房装置と加湿装置を一体に設けた空気調和装置の用途にも適用できる。
【図面の簡単な説明】
【００７４】
【図１】本発明の実施の形態１のサウナ装置の側面構成図
【図２】同サウナ装置の定流量弁を用いた場合の給水圧と流量の関係図
【図３】本発明の実施の形態２のサウナ装置の定量化給水手段を示す側面構成図
【図４】同サウナ装置の漏水時のサウナ装置からの距離と水滴温度の関係図
【図５】同サウナ装置の漏水時に人体対象位置最上部で４８℃以下となる給水量と給水温度の関係図
【図６】本発明の実施の形態３のサウナ装置の側面構成図
【図７】本発明の実施の形態４のサウナ装置の側面構成図
【図８】従来のサウナ装置の概略構成を示す図
【符号の説明】
【００７５】
１・・・サウナ空間
１１・・送風手段
１２・・加熱手段
１３・・加湿手段
１４・・給水口
１５・・流量調整制御手段
２０・・換気手段
２３・・定量化給水手段
２４・・テーパ構造
２５・・Ｃリング
２６・・フィルター
２７・・水質制御手段
２８・・水温検知手段
【図１】
2008253477.tif 000003
【図２】
2008253477.tif 000004
【図３】
2008253477.tif 000005
【図４】
2008253477.tif 000006
【図５】
2008253477.tif 000007
【図６】
2008253477.tif 000008
【図７】
2008253477.tif 000009
【図８】
2008253477.tif 000010